(57)【要約】【課題】カメラ本体に取り付けられるレンズ鏡筒において、レンズ鏡筒の後端部に、光軸方向に移動する部材が配置されていても、レンズ鏡筒の後端部の外径を小さくすることが可能なレンズ鏡筒を提供する。【解決手段】レンズ鏡筒１は、固定筒３と、固定筒３の内周側に配置され固定筒３に対して光軸方向へ移動可能なレンズ保持枠１４と、固定筒３の外周側に配置され固定筒３に対してレンズ保持枠１４と一緒に光軸方向へ移動可能なガイド筒１７と、固定筒３の外周側に配置され固定筒３に対して回動可能な回動筒１８とを備えている。ガイド筒１７の前端部および回動筒１８は、レンズ保持枠１４とガイド筒１７とを繋ぐ連結部４１よりも前側に配置され、ガイド筒１７の前端部と回動筒１８との間には、回動筒１８の回動動作をガイド筒１７の直進動作に変換してガイド筒１７およびレンズ保持枠１４を光軸方向に移動させるための動力伝達機構２６が設けられている。【選択図】図１
2020197673.tif 000002
【特許請求の範囲】
【請求項１】
カメラ本体に取り付けられるレンズ鏡筒において、
筒状に形成され前記カメラ本体に固定される固定筒と、レンズを保持し前記固定筒の内周側に配置されるとともに前記固定筒に対して前記レンズの光軸方向へ移動可能な第１レンズ保持枠と、筒状に形成され前記固定筒の外周側に配置されるとともに前記固定筒に対して前記第１レンズ保持枠と一緒に前記光軸方向へ移動可能なガイド筒と、筒状に形成され前記固定筒の外周側に配置されるとともに前記固定筒に対して前記光軸方向を回動の軸方向として回動可能な回動筒とを備え、
前記光軸方向のうちの、前記カメラ本体に取り付けられる側を後ろ側とし、後ろ側の反対側を前側とすると、
前記ガイド筒の前端部および前記回動筒は、前記第１レンズ保持枠と前記ガイド筒とを繋ぐ連結部よりも前側に配置され、
前記ガイド筒の前端部と前記回動筒との間には、前記回動筒の回動動作を前記光軸方向への前記ガイド筒の直進動作に変換して前記ガイド筒および前記第１レンズ保持枠を前記光軸方向に移動させるための第１動力伝達機構が設けられていることを特徴とするレンズ鏡筒。
【請求項２】
前記第１動力伝達機構は、ヘリコイド機構であることを特徴とする請求項１記載のレンズ鏡筒。
【請求項３】
前記ガイド筒の前端部は、前記回動筒の外周側に配置され、
前記ヘリコイド機構は、前記回動筒の外周面に形成される雄ヘリコイドネジと、前記ガイド筒の前端部の内周面に形成され前記雄ヘリコイドネジに螺合する雌ヘリコイドネジとから構成されていることを特徴とする請求項２記載のレンズ鏡筒。
【請求項４】
前記連結部は、前記第１レンズ保持枠または前記ガイド筒に形成または固定される連結用突起を備え、
前記固定筒には、前記固定筒の径方向で前記固定筒を貫通するとともに前記光軸方向を長手方向とする長穴状の第１ガイド穴が形成され、
前記第１ガイド穴には、前記連結用突起の一部が配置されていることを特徴とする請求項１から３のいずれかに記載のレンズ鏡筒。
【請求項５】
レンズを保持し前記固定筒に対して前記光軸方向へ移動可能な第２レンズ保持枠を備え、
前記第２レンズ保持枠は、前記回動筒および前記固定筒の内周側に配置されるとともに前記第１レンズ保持枠よりも前側に配置され、
前記第２レンズ保持枠と前記回動筒との間には、前記回動筒の回動動作を前記光軸方向への前記第２レンズ保持枠の直進動作に変換して前記第２レンズ保持枠を前記光軸方向に移動させるための第２動力伝達機構が設けられていることを特徴とする請求項１から４のいずれかに記載のレンズ鏡筒。
【請求項６】
前記第２動力伝達機構は、カム溝と、前記カム溝に係合するカムフォロアとから構成されていることを特徴とする請求項５記載のレンズ鏡筒。
【請求項７】
前記ガイド筒の前端部は、前記回動筒の外周側に配置され、
前記第１動力伝達機構は、前記回動筒の外周面に形成される雄ヘリコイドネジと、前記ガイド筒の前端部の内周面に形成され前記雄ヘリコイドネジに螺合する雌ヘリコイドネジとから構成されるヘリコイド機構であり、
前記カム溝は、前記回動筒の内周面に形成されていることを特徴とする請求項６記載のレンズ鏡筒。
【請求項８】
前記カムフォロアは、前記第２レンズ保持枠に取り付けられ、
前記固定筒には、前記固定筒の径方向で前記固定筒を貫通するとともに前記光軸方向を長手方向とする長穴状の第２ガイド穴が形成され、
前記第２ガイド穴には、前記カムフォロアの一部が配置されていることを特徴とする請求項６または７記載のレンズ鏡筒。
【請求項９】
レンズを保持し前記固定筒の内周側に配置される第３レンズ保持枠を備え、
前記第３レンズ保持枠に保持される前記レンズは、前記光軸方向において前記第１レンズ保持枠に保持される前記レンズと前記第２レンズ保持枠に保持される前記レンズとの間に配置されていることを特徴とする請求項５から８のいずれかに記載のレンズ鏡筒。
【請求項１０】
前記固定筒には、前記固定筒の径方向の外側に突出する規制用突起が形成または固定され、
前記回動筒には、前記回動筒の周方向を長手方向とする長穴状の規制穴が形成され、
前記規制穴には、前記規制用突起の少なくとも一部が配置され、
前記規制穴と前記規制用突起とによって、前記固定筒に対する前記回動筒の前記光軸方向への移動が規制されていることを特徴とする請求項９記載のレンズ鏡筒。
【請求項１１】
前記光軸方向において前記第１レンズ保持枠に保持される前記レンズと前記第２レンズ保持枠に保持される前記レンズとの間に配置され、開口絞りの口径を変化させる絞り機構を備えることを特徴とする請求項５から１０のいずれかに記載のレンズ鏡筒。
【請求項１２】
レンズを保持し前記固定筒の内周側に配置される複数の第３レンズ保持枠を備え、
前記絞り機構は、光路用の開口が形成される環状の地板と、前記地板に回動可能に取り付けられる複数枚の絞り羽根とを備え、
前記地板は、前記第３レンズ保持枠に固定されていることを特徴とする請求項１１記載のレンズ鏡筒。
【請求項１３】
前記第３レンズ保持枠は、前記第３レンズ保持枠に保持される前記レンズが固定されるレンズ固定部材と、前記レンズ固定部材の外周側で前記レンズ固定部材を保持するとともに前記固定筒に固定される筒状の保持部材と、前記固定筒に対する前記レンズ固定部材の、前記固定筒の径方向における位置を調整するための調整用ネジとを備え、
前記保持部材には、前記調整用ネジが螺合するネジ穴が形成され、
前記ネジ穴は、前記保持部材の径方向で前記保持部材を貫通し、
前記固定筒には、前記調整用ネジを回すための工具を通過させる貫通穴が形成され、
前記貫通穴は、前記固定筒の径方向で前記固定筒を貫通するとともに、前記光軸方向において前記回動筒および前記ガイド筒とずれた位置に配置されていることを特徴とする請求項９、１０または１２に記載のレンズ鏡筒。
【発明の詳細な説明】
【技術分野】
【０００１】
本発明は、カメラ本体に取り付けられるレンズ鏡筒に関する。
【背景技術】
【０００２】
従来、カメラ本体に取り付けられて使用されるレンズ鏡筒が知られている（たとえば、特許文献１参照）。特許文献１に記載のレンズ鏡筒は、固定レンズと、フォーカスレンズと、固定レンズを保持するレンズ枠と、フォーカスレンズを保持するフォーカスレンズ筒とを備えている。特許文献１に記載のレンズ鏡筒では、レンズ鏡筒の外周面に、フォーカスリングが配置されている。レンズ鏡筒の内部には、フォーカシング機構およびフォーカス情報伝達機構が配置されている。
【０００３】
フォーカシング機構は、フォーカスリングの周方向変位を第１運動変換機構によって軸方向変位に変換してフォーカスレンズ筒に伝達する機能を果たしている。第１運動変換機構は、フォースリングの内周側に固定される中間回動筒を備えている。中間回動筒の内周面には、雌ヘリコイドネジが形成されている。フォーカスレンズ筒の外周面には、中間回動筒の内周面に形成される雌ヘリコイドネジに螺合する雄ヘリコイドネジが形成されている。
【０００４】
フォーカス情報伝達機構は、フォーカスリングの周方向変位を第２運動変換機構によって軸方向変位に変換してカメラ本体の被伝達部に伝達する機能を果たしている。第２運動変換機構は、内部固定筒の外周側に配置される第１伝達筒と、内部固定筒の内周側に配置される第２伝達筒とを備えている。第１伝達筒の前端部は、中間回動筒の後端部に係合している。第１伝達筒には、カム溝部が形成されている。
【０００５】
第２伝達筒は、レンズ鏡筒の後端部（すなわち、レンズ鏡筒の、カメラ本体に取り付けられる側の部分）に配置されている。第２伝達筒の外周面には、第１伝達筒のカム溝部に係合する規制ローラが取り付けられている。特許文献１に記載のレンズ鏡筒では、フォーカスリングを回動させると、フォーカスリングと一緒に中間回動筒および第１伝達筒が回動する。また、第１伝達筒が回動すると、レンズの光軸の方向（光軸方向）に第２伝達筒が移動する。
【先行技術文献】
【特許文献】
【０００６】
【特許文献１】特許第５１８０７４１号公報
【発明の概要】
【発明が解決しようとする課題】
【０００７】
特許文献１に記載のレンズ鏡筒では、レンズ鏡筒の後端部に配置される第２伝達筒を光軸方向に移動させるために、第２伝達筒の外周面に規制ローラが取り付けられている。また、このレンズ鏡筒では、カム溝部が形成された第１伝達筒が第２伝達筒の外周側に配置されている。そのため、特許文献１に記載のレンズ鏡筒では、レンズ鏡筒の後端部（すなわち、レンズ鏡筒の、カメラ本体に取り付けられる側の部分）の外径が大きくなるおそれがある。また、レンズ鏡筒の後端部の外径が大きくなると、カメラ本体の内部に配置される各種の構成部品とレンズ鏡筒の後端部とが干渉するおそれがあるため、カメラ本体の内部に配置される構成部品の配置の自由度が低下するおそれがある。
【０００８】
そこで、本発明の課題は、カメラ本体に取り付けられるレンズ鏡筒において、レンズ鏡筒の後端部（レンズ鏡筒の、カメラ本体に取り付けられる側の部分）に、光軸方向に移動する部材が配置されていても、レンズ鏡筒の後端部の外径を小さくすることが可能なレンズ鏡筒を提供することにある。
【課題を解決するための手段】
【０００９】
上記の課題を解決するため、本発明のレンズ鏡筒は、カメラ本体に取り付けられるレンズ鏡筒において、筒状に形成されカメラ本体に固定される固定筒と、レンズを保持し固定筒の内周側に配置されるとともに固定筒に対してレンズの光軸方向へ移動可能な第１レンズ保持枠と、筒状に形成され固定筒の外周側に配置されるとともに固定筒に対して第１レンズ保持枠と一緒に光軸方向へ移動可能なガイド筒と、筒状に形成され固定筒の外周側に配置されるとともに固定筒に対して光軸方向を回動の軸方向として回動可能な回動筒とを備え、光軸方向のうちの、カメラ本体に取り付けられる側を後ろ側とし、後ろ側の反対側を前側とすると、ガイド筒の前端部および回動筒は、第１レンズ保持枠とガイド筒とを繋ぐ連結部よりも前側に配置され、ガイド筒の前端部と回動筒との間には、回動筒の回動動作を光軸方向へのガイド筒の直進動作に変換してガイド筒および第１レンズ保持枠を光軸方向に移動させるための第１動力伝達機構が設けられていることを特徴とする。
【００１０】
本発明のレンズ鏡筒では、第１レンズ保持枠とガイド筒とを繋ぐ連結部よりも前側に配置されるガイド筒の前端部と回動筒との間に、ガイド筒および第１レンズ保持枠を光軸方向に移動させる第１動力伝達機構が設けられている。そのため、本発明では、第１レンズ保持枠の、連結部よりも後ろ側の部分の外周側にカム等の動力伝達機構を設ける必要がない。したがって、本発明では、固定筒に対して光軸方向に移動する第１レンズ保持枠がレンズ鏡筒の後端部に配置されていても、レンズ鏡筒の後端部の外径を小さくすることが可能になる。
【００１１】
本発明において、第１動力伝達機構は、ヘリコイド機構であることが好ましい。このように構成すると、カム溝とカム溝に係合するカムフォロアとから第１動力伝達機構が構成されている場合と比較して、レンズ鏡筒の径方向において第１動力伝達機構を小型化することが可能になる。
【００１２】
本発明において、ガイド筒の前端部は、回動筒の外周側に配置され、ヘリコイド機構は、回動筒の外周面に形成される雄ヘリコイドネジと、ガイド筒の前端部の内周面に形成され雄ヘリコイドネジに螺合する雌ヘリコイドネジとから構成されていることが好ましい。このように構成すると、ガイド筒の前端部が回動筒の内周側に配置されていて、ヘリコイド機構が、ガイド筒の前端部の外周面に形成される雄ヘリコイドネジと、回動筒の内周面に形成される雌ヘリコイドネジとから構成されている場合と比較して、回動筒およびガイド筒の構成を簡素化することが可能になる。
【００１３】
本発明において、連結部は、第１レンズ保持枠またはガイド筒に形成または固定される連結用突起を備え、固定筒には、固定筒の径方向で固定筒を貫通するとともに光軸方向を長手方向とする長穴状の第１ガイド穴が形成され、第１ガイド穴には、連結用突起の一部が配置されていることが好ましい。このように構成すると、第１レンズ保持枠とガイド筒とを繋ぐための連結用突起を用いた比較的簡易な構成で、互いに繋がった状態の第１レンズ保持枠およびガイド筒を光軸方向に案内することが可能になる。また、このように構成すると、連結用突起と第１ガイド穴とを用いて、光軸方向を回動の軸方向とする第１レンズ保持枠の回動を防止することが可能になるため、レンズ鏡筒の光学性能の低下を抑制することが可能になる。
【００１４】
本発明において、レンズ鏡筒は、レンズを保持し固定筒に対して光軸方向へ移動可能な第２レンズ保持枠を備え、第２レンズ保持枠は、回動筒および固定筒の内周側に配置されるとともに第１レンズ保持枠よりも前側に配置され、第２レンズ保持枠と回動筒との間には、回動筒の回動動作を光軸方向への第２レンズ保持枠の直進動作に変換して第２レンズ保持枠を光軸方向に移動させるための第２動力伝達機構が設けられていることが好ましい。このように構成すると、共通の回動筒を用いて、第１レンズ保持枠と第２レンズ保持枠とを一緒に光軸方向に移動させることが可能になる。したがって、レンズ鏡筒の構成を簡素化することが可能になる。
【００１５】
本発明において、第２動力伝達機構は、カム溝と、カム溝に係合するカムフォロアとから構成されていることが好ましい。このように構成すると、第２動力伝達機構がヘリコイド機構である場合と比較して第２動力伝達機構の構成を簡素化することが可能になる。すなわち、第２動力伝達機構がヘリコイド機構である場合には、たとえば、固定筒の外周側に配置されるとともに固定筒に対して第２レンズ保持枠と一緒に光軸方向へ移動する部材であって、光軸方向の長さが比較的長くなっている部材を別途設ける必要が生じるが、第２動力伝達機構がカム溝とカムフォロアとから構成されている場合には、このような部材を別途設ける必要がなくなる。したがって、第２動力伝達機構の構成を簡素化することが可能になる。
【００１６】
本発明において、ガイド筒の前端部は、回動筒の外周側に配置され、第１動力伝達機構は、回動筒の外周面に形成される雄ヘリコイドネジと、ガイド筒の前端部の内周面に形成され雄ヘリコイドネジに螺合する雌ヘリコイドネジとから構成されるヘリコイド機構であり、カム溝は、回動筒の内周面に形成されていることが好ましい。このように構成すると、回動筒の外周面に雄ヘリコイドネジが形成され、回動筒の内周面にカム溝が形成されているため、共通の回動筒を用いて、第１レンズ保持枠と第２レンズ保持枠とを一緒に光軸方向に移動させることが可能であっても、雄ヘリコイドネジおよびカム溝を容易に形成することが可能になる。
【００１７】
本発明において、カムフォロアは、第２レンズ保持枠に取り付けられ、固定筒には、固定筒の径方向で固定筒を貫通するとともに光軸方向を長手方向とする長穴状の第２ガイド穴が形成され、第２ガイド穴には、カムフォロアの一部が配置されていることが好ましい。このように構成すると、カムフォロアを用いた比較的簡易な構成で第２レンズ保持枠を光軸方向に案内することが可能になる。また、このように構成すると、カムフォロアと第２ガイド穴とを用いて、光軸方向を回動の軸方向とする第２レンズ保持枠の回動を防止することが可能になるため、レンズ鏡筒の光学性能の低下を抑制することが可能になる。
【００１８】
本発明において、レンズ鏡筒は、たとえば、レンズを保持し固定筒の内周側に配置される第３レンズ保持枠を備え、第３レンズ保持枠に保持されるレンズは、光軸方向において第１レンズ保持枠に保持されるレンズと第２レンズ保持枠に保持されるレンズとの間に配置されている。この場合には、第１レンズ保持枠と第２レンズ保持枠との間に、別のレンズ保持枠である第３レンズ保持枠が配置されているため、フォーカスやズームの際の移動群の構成バリエーションを増やすことが可能になる。第３レンズ保持枠は、固定筒に固定されていても良いし、第１レンズ保持枠および第２レンズ保持枠とは独立して移動しても良いし、第１レンズ保持枠および第２レンズ保持枠と一緒に移動しても良い。また、第３レンズ保持枠が複数設けられていても良い。
【００１９】
本発明において、固定筒には、固定筒の径方向の外側に突出する規制用突起が形成または固定され、回動筒には、回動筒の周方向を長手方向とする長穴状の規制穴が形成され、規制穴には、規制用突起の少なくとも一部が配置され、規制穴と規制用突起とによって、固定筒に対する回動筒の光軸方向への移動が規制されていることが好ましい。このように構成すると、規制用突起と規制穴とを用いた比較的簡易な構成で、固定筒に対する回動筒の光軸方向への移動を規制することが可能になる。
【００２０】
本発明において、レンズ鏡筒は、たとえば、光軸方向において第１レンズ保持枠に保持されるレンズと第２レンズ保持枠に保持されるレンズとの間に配置され、開口絞りの口径を変化させる絞り機構を備えている。この場合には、回動筒の回動によって光軸方向に移動する第１レンズ保持枠と第２レンズ保持枠との間に、別の駆動機構を必要とする絞り機構が配置されているため、光学系全体の設計自由度を向上させることが可能になるとともに、レンズ鏡筒の機械的構成の自由度を向上させることが可能になる。
【００２１】
本発明において、レンズ鏡筒は、たとえば、レンズを保持し固定筒の内周側に配置される複数の第３レンズ保持枠を備え、絞り機構は、光路用の開口が形成される環状の地板と、地板に回動可能に取り付けられる複数枚の絞り羽根とを備え、地板は、第３レンズ保持枠に固定されている。この場合には、地板を固定筒へ直接固定する場合と比較して、第１レンズ保持枠または第２レンズ保持枠と絞り機構との干渉を抑制することが可能となる。特に、第１レンズ保持枠とガイド筒との連結部よりも後方寄りに絞り機構が配置されている場合には、固定筒と絞り機構との間に第１レンズ保持枠が配置されるが、第３レンズ保持枠に地板を固定することで、絞り機構と第１レンズ枠との干渉を抑制することが可能となる。
【００２２】
本発明において、第３レンズ保持枠は、第３レンズ保持枠に保持されるレンズが固定されるレンズ固定部材と、レンズ固定部材の外周側でレンズ固定部材を保持するとともに固定筒に固定される筒状の保持部材と、固定筒に対するレンズ固定部材の、固定筒の径方向における位置を調整するための調整用ネジとを備え、保持部材には、調整用ネジが螺合するネジ穴が形成され、ネジ穴は、保持部材の径方向で保持部材を貫通し、固定筒には、調整用ネジを回すための工具を通過させる貫通穴が形成され、貫通穴は、固定筒の径方向で固定筒を貫通するとともに、光軸方向において回動筒およびガイド筒とずれた位置に配置されていることが好ましい。
【００２３】
このように構成すると、レンズ鏡筒が組み立てられた状態でも、調整用ネジを工具によって回すことが可能になる。したがって、レンズ鏡筒の組立後であっても、固定筒に対するレンズ固定部材の径方向の位置を比較的容易に調整することが可能になる。すなわち、レンズ鏡筒の組立後であっても、第３レンズ保持枠に保持されるレンズの、固定筒に対する径方向の位置を比較的容易に調整することが可能になる。
【発明の効果】
【００２４】
以上のように、本発明では、カメラ本体に取り付けられるレンズ鏡筒において、レンズ鏡筒の後端部に、光軸方向に移動する部材が配置されていても、レンズ鏡筒の後端部の外径を小さくすることが可能になる。
【図面の簡単な説明】
【００２５】
【図１】本発明の実施の形態にかかるレンズ鏡筒の構成を説明するための断面図である。
【図２】図１に示す固定筒の斜視図である。
【図３】図１に示す回動筒の斜視図である。
【発明を実施するための形態】
【００２６】
以下、図面を参照しながら、本発明の実施の形態を説明する。
【００２７】
（レンズ鏡筒の構成）
図１は、本発明の実施の形態にかかるレンズ鏡筒１の構成を説明するための断面図である。図２は、図１に示す固定筒３の斜視図である。図３は、図１に示す回動筒１８の斜視図である。
【００２８】
本形態のレンズ鏡筒１は、カメラ本体２に取り付けられて使用される。カメラ本体２は、Ｃ−ＭＯＳイメージセンサ等の撮像素子を備えている。レンズ鏡筒１は、全体として略円柱状に形成されている。レンズ鏡筒１は、筒状に形成されるとともにカメラ本体２に固定される固定筒３と、固定筒３の内周側に配置される複数のレンズ４〜８と、レンズ４を保持するレンズ保持枠１０と、レンズ５を保持するレンズ保持枠１１と、レンズ６を保持するレンズ保持枠１２と、レンズ７を保持するレンズ保持枠１３と、レンズ８を保持するレンズ保持枠１４とを備えている。なお、本明細書における「レンズ」には、１枚のレンズのみならず、複数枚のレンズからなるレンズ群も含まれるものとする。
【００２９】
レンズ４〜８は、レンズ４〜８の光軸Ｌの方向（光軸方向）において、この順番で配置されている。具体的には、光軸方向のうちの、カメラ本体２に取り付けられる側（図１等のＺ２方向側、結像側）を後ろ側とし、後ろ側の反対側である図１等のＺ１方向側（被写体側）を前側とすると、レンズ４〜８は、前側から後ろ側に向かってこの順番で配置されている。すなわち、レンズ保持枠１２に保持されるレンズ６およびレンズ保持枠１３に保持されるレンズ７は、前後方向（光軸方向）においてレンズ保持枠１１に保持されるレンズ５とレンズ保持枠１４に保持されるレンズ８との間に配置されている。
【００３０】
レンズ４、６、７は、固定筒３に対して前後方向に移動しない固定レンズであり、レンズ保持枠１０、１２、１３は、固定筒３に固定されている。一方、レンズ５、８は、固定筒３に対して前後方向に移動可能なフォーカスレンズであり、レンズ保持枠１１、１４は、固定筒３に対して前後方向（光軸方向）へ移動可能となっている。本形態のレンズ保持枠１１は、第２レンズ保持枠であり、レンズ保持枠１２、１３は、第３レンズ保持枠であり、レンズ保持枠１４は、第１レンズ保持枠である。
【００３１】
また、レンズ鏡筒１は、筒状に形成されるとともに固定筒３に対してレンズ保持枠１４と一緒に前後方向（光軸方向）へ移動可能なガイド筒１７と、筒状に形成されるとともに固定筒３に対して前後方向（光軸方向）を回動の軸方向として回動可能な回動筒１８と、レンズ鏡筒１の開口絞りの口径を変化させる絞り機構１９とを備えている。ガイド筒１７および回動筒１８は、固定筒３の外周側（固定筒３の径方向の外側）に配置されている。絞り機構１９は、固定筒３の内周側（固定筒３の径方向の内側）に配置されている。
【００３２】
固定筒３は、円筒状に形成されており、固定筒３の軸方向と前後方向とが一致するように配置されている。カメラ本体２には、固定筒３の後端部が固定されている。固定筒３には、固定筒３の径方向で固定筒３を貫通するガイド穴３ａ、３ｂと、固定筒３の径方向で固定筒３を貫通する貫通穴３ｃとが形成されている。ガイド穴３ａ、３ｂは、前後方向（光軸方向）を長手方向とする長穴状に形成されている。貫通穴３ｃは、丸穴状に形成されている。本形態のガイド穴３ａは、第２ガイド穴であり、ガイド穴３ｂは、第１ガイド穴である。
【００３３】
ガイド穴３ａは、ガイド穴３ｂよりも前側に形成されている。ガイド穴３ａとガイド穴３ｂとは、固定筒３の周方向において同じ位置に形成されている。ガイド穴３ａは、固定筒３の周方向において２箇所に形成され、ガイド穴３ｂは、固定筒３の周方向において２箇所に形成されている。２個のガイド穴３ａは、固定筒３の軸心に対して１８０°ピッチで配置され、２個のガイド穴３ｂは、固定筒３の軸心に対して１８０°ピッチで配置されている。貫通穴３ｃは、ガイド穴３ｂよりも後ろ側に形成されている。貫通穴３ｃは、たとえば、固定筒３の周方向において３箇所に形成されている。３個の貫通穴３ｃは、固定筒３の軸心に対して１２０°ピッチで形成されている。
【００３４】
固定筒３には、固定筒３に対する前後方向への回動筒１８の移動を規制するための規制用突起２０が固定されている。規制用突起２０は、固定筒３の外周面から固定筒３の径方向の外側に突出している。また、規制用突起２０は、前後方向においてガイド穴３ａとガイド穴３ｂとの間に配置されている。規制用突起２０は、ネジ２１によって固定筒３に固定されている。
【００３５】
回動筒１８は、フォーカスレンズであるレンズ５、８を前後方向（光軸方向）へ移動させる焦点調整機構の一部を構成している。回動筒１８は、円筒状に形成されており、回動筒１８の軸方向と前後方向とが一致するように配置されている。上述のように、回動筒１８は、固定筒３の外周側に配置されている。具体的には、回動筒１８は、固定筒３の前側部分の外周側に配置されている。また、回動筒１８の全体が固定筒３の外周側に配置されている。
【００３６】
回動筒１８の前端は、固定筒３の前端よりも後ろ側に配置されている。回動筒１８の後端は、固定筒３の後端よりも前側に配置されている。回動筒１８は、レンズ保持枠１１を前後方向へ移動させるためのカム溝２３ａが形成される第１筒部材２３と、レンズ保持枠１４を前後方向へ移動させるための雄ヘリコイドネジ２４ａが形成される第２筒部材２４とから構成されている。
【００３７】
第１筒部材２３および第２筒部材２４は、円筒状に形成されている。第２筒部材２４は、第１筒部材２３の外周側に配置されている。第２筒部材２４の前後方向の長さは、第１筒部材２３の前後方向の長さよりも短くなっている。第２筒部材２４の前端は、第１筒部材２３の前端よりも前側に配置され、第２筒部材２４の後端は、第１筒部材２３の後端よりも前側に配置されている。第１筒部材２３と第２筒部材２４とは、複数のネジ２５によって互いに固定されており、一体化している。
【００３８】
第１筒部材２３には、上述のように、カム溝２３ａが形成されている。カム溝２３ａは、螺旋状に形成されている。カム溝２３ａは、第１筒部材２３の内周側の面に形成される有底の溝部であり、カム溝２３ａは、第１筒部材２３の径方向において第１筒部材２３を貫通していない。ただし、カム溝２３ａの一部には、第１筒部材２３の径方向において第１筒部材２３を貫通する貫通穴が形成されている。また、カム溝２３ａは、第１筒部材２３の、第２筒部材２４によって覆われている部分に形成されている。すなわち、カム溝２３ａは、回動筒１８の内周面に形成されている。第１筒部材２３には、２本のカム溝２３ａが形成されている。
【００３９】
また、２本のカム溝部２３ａは、前後方向（光軸方向）において互いにずれた位置に配置されている。回動筒１８の回転角が大きく、かつ、カム係合によって移動するレンズ保持枠１１の前後方向の移動量が少ない場合、２本のカム溝２３ａを前後方向でずらさずに形成すると、２本のカム溝２３ａが互いに干渉して構造上成り立たなくなる。２本のカム溝２３ａを前後方向にずらして配置することで、このような問題は解決される。
【００４０】
また、第１筒部材２３には、規制用突起２０の一部が配置される規制穴２３ｂが形成されている。規制穴２３ｂは、第１筒部材２３の内周側の面に形成される有底の溝部であり、規制穴２３ｂは、第１筒部材２３の径方向において第１筒部材２３を貫通していない。だだし、規制穴２３ｂの一部には、第１筒部材２３の径方向において第１筒部材２３を貫通する貫通穴が形成されている。規制用突起２０は、規制穴２３ｂの一部に形成される貫通穴を介して固定筒１１に固定される。
【００４１】
規制穴２３ｂは、第１筒部材２３の後端部に形成されている。具体的には、規制穴２３ｂは、第１筒部材２３の、第２筒部材２４の後端よりも後ろ側に配置される部分に形成されている。また、規制穴２３ｂは、第１筒部材２３の周方向を長手方向とする長穴状（長溝状）に形成されている。すなわち、回動筒１８には、回動筒１８の径方向で回動筒１８を貫通せずに第１筒部材２３の内周側の面に形成される有底の溝部として構成されるとともに回動筒１８の周方向を長手方向とする長溝状の規制穴２３ｂが形成されている。
【００４２】
本形態では、規制穴２３ｂと規制用突起２０とによって、固定筒３に対する前後方向（光軸方向）への回動筒１８の移動が規制されている。すなわち、規制穴２３ｂに規制用突起２０の一部が配置されることで、固定筒３に対して前後方向へ回動筒１８が動かないようになっている。なお、規制穴２３ｂは、回動筒１８の周方向を長手方向とする長溝状に形成されているため、規制用突起２０は、規制穴２３ｂに案内されることで規制穴２３ｂ内部を周方向に移動する。また、規制用突起２０が規制穴２３ｂの内部を周方向に移動するため、回動筒１８は、固定筒３に対して前後方向を回動の軸方向として所定角度、回動可能となっている。
【００４３】
ちなみに本形態では、規制穴２３ｂは、第１筒部材２３の周方向の端部を有さない１本の連続した環状の溝部である。そのため、規制用突起２０は、規制穴２３ｂの内部を止まることなく移動することが可能となる。このような構成により、規制用突起２０の個数を増やして、隣接する規制用突起２０の間隔が回動筒１８の回転角度よりも狭くなったとしても、全ての規制用突起２０を一つの環状の規制穴２３ｂに挿入することで、規制用突起２０と規制穴２３ｂとの周方向における干渉を防ぐことが可能となる。この結果、固定筒３に対する回動筒１８の傾きを防止したり、外部からの衝撃等の外力が光軸方向から規制用突起２０と規制穴２３ｂとの間に伝達した際の衝撃を分散したりするために、規制用突起２０の個数を増やしたとしても、レンズ鏡筒１の大型化を抑制することが可能となる。
【００４４】
上記の構成において、規制用突起２０の周方向の移動を規制する他の部材がない場合は、レンズ保持枠１１に取り付けられる後述のカムフォロア２８が回動筒１８のカム溝２３ａの端部に衝突するまで、回動筒１８を回動させることが可能となっている。しかしながら、カム溝２３ａの端部にカムフォロア２８が衝突すると、衝突時の衝撃がレンズ保持枠１１を介してレンズ５に伝わって画像のブレとして撮影に悪影響を及ぼすおそれがある。また、衝撃によりレンズ保持枠１１やレンズ５の位置がずれたり傾いたりすることによって光学性能に悪影響を及ぼすおそれがある。
【００４５】
そのため、本形態では、回動筒１８の固定筒３に対する周方向の回動転量の規制を、固定筒３に固定されたストッパ（図示省略）と、第１筒部材２３の内周側の面に形成された周方向の端部を有する回動規制用横溝部（図示省略）とによって行っている。回動筒１８の周方向の回動を固定筒３に固定されたストッパにより行うことで、回動筒１８を限界まで周方向へ回転させたとしても、衝撃が直接レンズ保持枠１１に伝わることを抑制することが可能となる。
【００４６】
なお、回動筒１８のカム溝２３ａや固定筒３のガイド穴３ａの端部にレンズ保持枠１１のカムフォロア２８を衝突させることで回動方向の規制を行うことも可能ではある。その場合、レンズ保持枠１１が保持するレンズ５は、レンズ鏡筒１で保持する複数のレンズから成る光学系において、光軸に対する光軸方向のずれや傾きに対する感度が低いレンズであることが好ましい。このような構成により、衝撃がレンズ５に伝達したとしても光学性能上に影響が発生することを抑制することが可能となるため、ストッパおよび回動規制用横溝部を別に設けることなく、構成の簡略化が可能となる。
【００４７】
また、本形態では、規制穴２３ｂは、１本の連続した長溝状に形成されているが、回動筒１８の周方向の回動量が少なくても良い場合、または、規制用突起２０の数を減らしても問題のない場合、あるいは、規制穴２３ｂを前後方向（光軸方向）にずらして複数形成することが可能な場合には、規制穴２３ｂを１本の連続した環状の長溝状に形成する必要がなくなるため、規制穴２３ｂを、周方向の端部を有する長溝状に形成することも可能である。この場合には、規制穴２３ｂの端部と規制用突起２０とを衝突させることで、ストッパおよび回動規制用横溝部を別に設けることなく、固定筒３に対する回動筒１８の周方向の回動量の規制を行うことが可能である。
【００４８】
第２筒部材２４には、上述のように、雄ヘリコイドネジ２４ａが形成されている。雄ヘリコイドネジ２４ａは、第２筒部材２４の外周面に形成されている。すなわち、雄ヘリコイドネジ２４ａは、回動筒１８の外周面に形成されている。また、雄ヘリコイドネジ２４ａは、第２筒部材２４の後端部に形成されている。なお、本形態では、第２筒部材２４に、図示を省略するモータが連結されており、回動筒１８は、モータの動力で回動する。ただし、ユーザが回動筒１８を手動で回動させてもよい。
【００４９】
ガイド筒１７は、段付きの円筒状に形成されており、ガイド筒１７の軸方向と前後方向とが一致するように配置されている。上述のように、ガイド筒１７は、固定筒３の外周側に配置されている。具体的には、ガイド筒１７の全体が固定筒３の外周側に配置されている。ガイド筒１７の前端は、固定筒３の前端よりも後ろ側に配置されている。ガイド筒１７の後端は、固定筒３の後端よりも前側に配置されている。ガイド筒１７は、ガイド筒１７の後端部を構成する円筒状の小径部１７ａと、小径部１７ａよりも外径および内径の大きい大径部１７ｂとから構成されている。
【００５０】
小径部１７ａは、大径部１７ｂの後端に繋がっている。小径部１７ａは、回動筒１８よりも後ろ側に配置されており、固定筒３の外周面に沿って配置されている。また、小径部１７ａは、固定筒３の貫通穴３ｃよりも前側に配置されている。小径部１７ａには、レンズ保持枠１４とガイド筒１７とを繋ぐための貫通穴１７ｃが形成されている。貫通穴１７ｃは、小径部１７ａの径方向において小径部１７ａを貫通している。また、貫通穴１７ｃは、丸穴状に形成されている。
【００５１】
大径部１７ｂは、回動筒１８の外周側に配置されている。具体的には、大径部１７ｂは、回動筒１８の後ろ側部分の外周側に配置されている。すなわち、ガイド筒１７の前端部は、回動筒１８の外周側に配置されている。ガイド筒１７の前端部（すなわち、大径部１７ｂの前端部）の内周面には、回動筒１８の雄ヘリコイドネジ２４ａに螺号する雌ヘリコイドネジ１７ｄが形成されている。
【００５２】
本形態では、雄ヘリコイドネジ２４ａと雌ヘリコイドネジ１７ｄとによって、回動筒１８の回動動作を前後方向へのガイド筒１７の直進動作に変換してガイド筒１７およびレンズ保持枠１４を前後方向に移動させる動力伝達機構２６が構成されている。すなわち、ガイド筒１７の前端部と回動筒１８との間には、回動筒１８の回動動作を前後方向（光軸方向）へのガイド筒１７の直進動作に変換してガイド筒１７およびレンズ保持枠１４を前後方向（光軸方向）に移動させるための動力伝達機構２６が設けられている。また、動力伝達機構２６は、雄ヘリコイドネジ２４ａと雌ヘリコイドネジ１７ｄとから構成されるヘリコイド機構である。本形態の動力伝達機構２６は、第１動力伝達機構である。
【００５３】
レンズ保持枠１０の前端部は、固定筒３の前端よりも前側に配置されている。レンズ保持枠１０の、前端部を除いた大半部分は、固定筒３の内周側に配置されている。レンズ保持枠１０は、図示を省略するネジによって固定筒３の前端部に固定されている。レンズ保持枠１２は、固定筒３の内周側に配置されている。具体的には、レンズ保持枠１２の全体が固定筒３の内周側に配置されている。レンズ保持枠１２は、図示を省略するネジによって固定筒３に固定されている。
【００５４】
レンズ保持枠１１は、固定筒３の内周側に配置されている。具体的には、レンズ保持枠１１の全体が固定筒３の内周側に配置されている。また、レンズ保持枠１１は、回動筒１８の内周側に配置されている。レンズ保持枠１１は、レンズ保持枠１４よりも前側に配置されている。レンズ保持枠１１には、カム溝２３ａに係合するカムフォロア２８が取り付けられている。カムフォロア２８は、レンズ保持枠１１から固定筒３の径方向の外側に突出している。カムフォロア２８は、ネジ２９によってレンズ保持枠１１に取り付けられている。また、カムフォロア２８は、固定筒３の内周側にレンズ保持枠１１を配置するとともに固定筒３の外周側に回動筒１８の第１筒部材２３を配置し、第２ガイド穴３ａおよびカム溝２３ａの貫通孔を介して第１筒部材２３の外周側からレンズ保持枠１１とカムフォロア２８とを当接させた状態で、ネジ２９によってレンズ保持枠１１に取り付けられる。
【００５５】
レンズ保持枠１１には、第１筒部材２３に形成されるカム溝２３ａの本数と同数のカムフォロア２８が取り付けられている。すなわち、レンズ保持枠１１には、２個のカムフォロア２８が取り付けられている。２個のカムフォロア２８のそれぞれは、２本のカム溝２３ａのそれぞれに係合している。２個のカムフォロア２８は、固定筒３の周方向において互いにずれた位置に配置されている。また、２個のカムフォロア２８は、前後方向（光軸方向）において互いにずれた位置に配置されている。２個のカムフォロア２８の前後方向のずれ量は、２本のカム溝２３ａの前後方向のずれ量と対応している。
【００５６】
本形態では、カム溝２３ａとカムフォロア２８とによって、回動筒１８の回動動作を前後方向へのレンズ保持枠１１の直進動作に変換してレンズ保持枠１１を前後方向に移動させる動力伝達機構３０が構成されている。すなわち、レンズ保持枠１１と回動筒１８との間には、回動筒１８の回動動作を前後方向（光軸方向）へのレンズ保持枠１１の直進動作に変換してレンズ保持枠１１を前後方向（光軸方向）に移動させるための動力伝達機構３０が設けられている。本形態の動力伝達機構３０は、第２動力伝達機構である。
【００５７】
カムフォロア２８の一部は、ガイド穴３ａに配置されている。本形態では、ガイド穴３ａとカムフォロア２８とによって、前後方向を回動の軸とした固定筒３に対するレンズ保持枠１１の回動が防止されている。また、カムフォロア２８は、ガイド穴３ａに沿って前後方向に移動する。すなわち、前後方向（光軸方向）に移動するレンズ保持枠１１は、ガイド穴３ａとカムフォロア２８とによって前後方向に案内される。
【００５８】
レンズ保持枠１３は、固定筒３の内周側に配置されている。具体的には、レンズ保持枠１３の全体が固定筒３の内周側に配置されている。レンズ保持枠１３は、レンズ７が固定されるレンズ固定部材３２と、レンズ固定部材３２の外周側でレンズ固定部材３２を保持する保持部材３３とを備えている。レンズ固定部材３２および保持部材３３は、筒状に形成されている。保持部材３３は、固定筒３に固定されている。また、レンズ保持枠１３は、固定筒３に対するレンズ固定部材３２の、固定筒３の径方向における位置を調整するための調整用ネジ３４を備えている。調整用ネジ３４は、六角穴付止めネジである。
【００５９】
保持部材３３には、調整用ネジ３４が螺合するネジ穴３３ａが形成されている。ネジ穴３３ａは、保持部材３３の径方向において保持部材３３を貫通している。ネジ穴３３ａは、たとえば、保持部材３３の周方向において３箇所に形成されている。３個のネジ穴３３ａは、たとえば、保持部材３３の軸心に対して１２０°ピッチで形成されている。本形態では、３個の調整用ネジ３４の、ネジ穴３３ａに対するねじ込み量を調整することで、固定筒３に対するレンズ固定部材３２の径方向の位置が調整される。すなわち、３個の調整用ネジ３４の、ネジ穴３３ａに対するねじ込み量を調整することで、固定筒３に対するレンズ７の径方向の位置が調整される。
【００６０】
上述のように、ガイド筒１７の小径部１７ａは、回動筒１８よりも後ろ側に配置されている。また、小径部１７ａは、固定筒３の貫通穴３ｃよりも前側に配置されている。すなわち、貫通穴３ｃは、前後方向（光軸方向）において回動筒１８およびガイド筒１７とずれた位置に配置されている。具体的には、貫通穴３ｃは、回動筒１８およびガイド筒１７よりも後ろ側に配置されている。また、貫通穴３ｃは、固定筒３の周方向において調整用ネジ３４が配置される位置に配置されている。
【００６１】
本形態では、ネジ穴３３ａに対する調整用ネジ３４のねじ込み量を調整する際に、調整用ネジ３４を回すための工具が貫通穴３ｃを通過する。すなわち、固定筒３には、調整用ネジ３４を回すための工具が通過する貫通穴３ｃが形成されている。具体的には、ネジ穴３３ａに対する調整用ネジ３４のねじ込み量を調整する際に、ドライバーの先端部が貫通穴３ｃを通過する。
【００６２】
レンズ保持枠１４は、固定筒３の内周側に配置されている。具体的には、レンズ保持枠１４の全体が固定筒３の内周側に配置されている。レンズ保持枠１４は、レンズ８が固定されるレンズ固定部材３６と、レンズ固定部材３６が固定される保持部材３７とから構成されている。レンズ固定部材３６は、レンズ保持枠１４の後端部を構成しており、レンズ固定部材３６の前端部は、保持部材３７の後端部に固定されている。レンズ８は、レンズ保持枠１４の後端部に固定されている。
【００６３】
保持部材３７は、段付きの円筒状に形成されており、保持部材３７の軸方向と前後方向とが一致するように配置されている。保持部材３７は、保持部材３７の後端部を構成する円筒状の小径部３７ａと、小径部３７ａよりも外径および内径の大きい大径部３７ｂとから構成されている。小径部３７ａは、大径部３７ｂの後端に繋がっている。レンズ固定部材３６は、小径部３７ａの後端部に固定されている。保持部材３７の前端（すなわち、大径部３７ｂの前端）は、ガイド筒１７の雌ヘリコイドネジ１７ｄの後端よりも後ろ側に配置されている。なお、保持部材３７の前端が雌ヘリコイドネジ１７ｄの後端より前側に配置されていても良い。
【００６４】
大径部３７ｂの前端部には、ガイド筒１７の貫通穴１７ｃに配置される連結用突起３９が固定されている。すなわち、レンズ保持枠１４には、連結用突起３９が固定されている。連結用突起３９は、大径部３７ｂの外周面から大径部３７ｂの径方向の外側に突出している。連結用突起３９は、ネジ４０によって大径部３７ｂに固定されている。連結用突起３９は、貫通穴１７ｃに挿通されており、連結用突起３９の一部が貫通穴１７ｃに嵌っている。本形態では、ガイド筒１７の貫通穴１７ｃと連結用突起３９とによって、レンズ保持枠１４とガイド筒１７とを繋ぐ連結部４１が構成されている。
【００６５】
連結部４１は、ガイド筒１７の大径部１７ｂおよび回動筒１８よりも後ろ側に配置されている。すなわち、ガイド筒１７の前端部および回動筒１８は、連結部４１よりも前側に配置されている。また、連結用突起３９は、前後方向においてガイド穴３ｂが形成された位置に配置されており、連結用突起３９の一部は、ガイド穴３ｂの中に配置されている。本形態では、ガイド穴３ｂと連結用突起３９とによって、前後方向を回動の軸とした固定筒３に対するレンズ保持枠１４およびガイド筒１７の回動が防止されている。すなわち、ガイド筒１７は、回動筒１８に対して前後方向を回動の軸方向として相対的に回動するが、固定筒３に対しては相対的に回動しない。
【００６６】
また、連結用突起３９は、ガイド穴３ｂに沿って前後方向に移動する。すなわち、前後方向（光軸方向）に移動するガイド筒１７およびレンズ保持枠１４は、ガイド穴３ｂと連結用突起３９とによって前後方向に案内される。なお、小径部３７ａと大径部３７ｂとの境界部から前後方向の両側に向かう所定の範囲では、保持部材３７に、調整用ネジ３４を回すための工具が通過する貫通穴３７ｃが形成されている。貫通穴３７ｃは、保持部材３７の径方向で保持部材３７を貫通している。
【００６７】
絞り機構１９は、前後方向（光軸方向）においてレンズ５とレンズ８との間に配置されている。絞り機構１９は、光路用の開口が形成される環状の地板４４と、地板４４に回動可能に取り付けられる複数枚の絞り羽根４５とを備えている。地板４４は、図示を省略するネジによってレンズ保持枠１２の後端部に固定されている。すなわち、地板４４は、レンズ保持枠１２を介して固定筒３に固定されている。
【００６８】
絞り羽根４５は、前後方向においてレンズ６とレンズ７との間に配置されている。すなわち、レンズ６は、前後方向（光軸方向）において、レンズ５と絞り羽根４５との間に配置され、レンズ７は、前後方向（光軸方向）において、レンズ８と絞り羽根４５との間に配置されている。また、絞り羽根４５は、連結部４１よりも後ろ側に配置されている。すなわち、連結部４１は、絞り羽根４５よりも前側に配置されている。なお、絞り羽根４５には、絞り羽根４５を回動させる回動機構（図示省略）が連結されている。この回動機構は、モータ等を備えている。
【００６９】
（本形態の主な効果）
以上説明したように、本形態のレンズ鏡筒１は、カメラ本体２に取り付けられるレンズ鏡筒１において、筒状に形成されカメラ本体２に固定される固定筒３と、レンズ８を保持し固定筒３の内周側に配置されるとともに固定筒３に対してレンズ８の光軸方向へ移動可能なレンズ保持枠１４と、筒状に形成され固定筒３の外周側に配置されるとともに固定筒３に対してレンズ保持枠１４と一緒に光軸方向へ移動可能なガイド筒１７と、筒状に形成され固定筒３の外周側に配置されるとともに固定筒３に対して光軸方向を回動の軸方向として回動可能な回動筒１８とを備えている。また、本形態では、光軸方向のうちの、カメラ本体２に取り付けられる側を後ろ側とし、後ろ側の反対側を前側とすると、ガイド筒１７の前端部および回動筒１８は、レンズ保持枠１４とガイド筒１７とを繋ぐ連結部４１よりも前側に配置されている。さらに、本形態では、ガイド筒１７の前端部と回動筒１８との間には、回動筒１８の回動動作を光軸方向へのガイド筒１７の直進動作に変換してガイド筒１７およびレンズ保持枠１４を光軸方向に移動させるための動力伝達機構２６が設けられている。
【００７０】
このように本形態では、レンズ保持枠１４とガイド筒１７とを繋ぐ連結部４１よりも前側に配置されるガイド筒１７の前端部と回動筒１８との間に、ガイド筒１７およびレンズ保持枠１４を光軸方向に移動させる動力伝達機構２６が設けられている。そのため、本形態では、レンズ保持枠１４の、連結部４１よりも後ろ側の部分の外周側にカム等の動力伝達機構を設ける必要がない。したがって、本形態では、固定筒３に対して光軸方向に移動するレンズ保持枠１４がレンズ鏡筒１の後端部に配置されていても、レンズ鏡筒１の後端部の外径を小さくすることが可能になる。
【００７１】
本形態のように、動力伝達機構２６は、ヘリコイド機構であることが好ましい。このようにすると、カム溝とカム溝に係合するカムフォロアとから動力伝達機構２６が構成されている場合と比較して、レンズ鏡筒１の径方向において動力伝達機構２６を小型化することが可能になる。
【００７２】
本形態のように、ガイド筒１７の前端部は、回動筒１８の外周側に配置され、動力伝達機構２６であるヘリコイド機構は、回動筒１８の外周面に形成される雄ヘリコイドネジ２４ａと、ガイド筒１７の前端部の内周面に形成され雄ヘリコイドネジ２４ａに螺合する雌ヘリコイドネジ１７ｄとから構成されていることが好ましい。このようにすると、ガイド筒１７の前端部が回動筒１８の内周側に配置されていて、ヘリコイド機構が、ガイド筒１７の前端部の外周面に形成される雄ヘリコイドネジと、回動筒１８の内周面に形成される雌ヘリコイドネジとから構成されている場合と比較して、回動筒１８およびガイド筒１７の構成を簡素化することが可能になる。
【００７３】
本形態のように、連結部４１は、レンズ保持枠１４に固定される連結用突起３９を備え、固定筒３には、固定筒３の径方向で固定筒３を貫通するとともに光軸方向を長手方向とする長穴状のガイド穴３ｂが形成され、ガイド穴３ｂには、連結用突起３９の一部が配置されていることが好ましい。このようにすると、レンズ保持枠１４とガイド筒１７とを繋ぐための連結用突起３９を用いた比較的簡易な構成で、互いに繋がった状態のレンズ保持枠１４およびガイド筒１７を光軸方向に案内することが可能になる。また、連結用突起３９とガイド穴３とを用いて、前後方向を回動の軸方向とするレンズ保持枠１４の回動を防止することが可能になるため、レンズ鏡筒１の光学性能の低下を抑制することが可能になる。
【００７４】
本形態のように、レンズ鏡筒１は、レンズ５を保持し固定筒３に対して光軸方向へ移動可能なレンズ保持枠１１を備え、レンズ保持枠１１は、回動筒１８および固定筒３の内周側に配置されるとともにレンズ保持枠１４よりも前側に配置され、レンズ保持枠１１と回動筒１８との間には、回動筒１８の回動動作を光軸方向へのレンズ保持枠１１の直進動作に変換してレンズ保持枠１１を光軸方向に移動させるための動力伝達機構３０が設けられていることが好ましい。このようにすると、共通の回動筒１８を用いて、レンズ保持枠１４とレンズ保持枠１１とを一緒に光軸方向に移動させることが可能になる。したがって、レンズ鏡筒１の構成を簡素化することが可能になる。
【００７５】
本形態のように、動力伝達機構３０は、カム溝２３ａと、カム溝２３ａに係合するカムフォロア２８とから構成されていることが好ましい。このようにすると、動力伝達機構３０がヘリコイド機構である場合と比較して動力伝達機構３０の構成を簡素化することが可能になる。すなわち、動力伝達機構３０がヘリコイド機構である場合には、たとえば、固定筒３の外周側に配置されるとともに固定筒３に対してレンズ保持枠１１と一緒に光軸方向へ移動する部材であって、光軸方向の長さが比較的長くなっている部材を別途設ける必要が生じるが、動力伝達機構３０がカム溝２４ａとカムフォロア２８とから構成されている場合には、このような部材を別途設ける必要がなくなる。したがって、動力伝達機構３０の構成を簡素化することが可能になる。
【００７６】
本形態のように、ガイド筒１７の前端部は、回動筒１８の外周側に配置され、動力伝達機構２６は、回動筒１８の外周面に形成される雄ヘリコイドネジ２４ａと、ガイド筒１７の前端部の内周面に形成され雄ヘリコイドネジ２４ａに螺合する雌ヘリコイドネジ１７ｄとから構成されるヘリコイド機構であり、カム溝２３ａは、回動筒１８の内周面に形成されていることが好ましい。このようにすると、回動筒１８の外周面に雄ヘリコイドネジ２４ａが形成され、回動筒１８の内周面にカム溝２３ａが形成されているため、共通の回動筒１８を用いて、レンズ保持枠１４とレンズ保持枠１１とを一緒に光軸方向に移動させることが可能であっても、雄ヘリコイドネジ２４ａおよびカム溝２３ａを形成しやすくなる。
【００７７】
本形態のように、カムフォロア２８は、レンズ保持枠１１に取り付けられ、固定筒３には、固定筒３の径方向で固定筒３を貫通するとともに光軸方向を長手方向とする長穴状のガイド穴３ａが形成され、ガイド穴３ａには、カムフォロア２８の一部が配置されていることが好ましい。このようにすると、カムフォロア２８を用いた比較的簡易な構成で、レンズ保持枠１１を光軸方向に案内することが可能になる。また、カムフォロア２８とガイド穴３ａを用いて、光軸方向を回動の軸方向とするレンズ保持枠１１の回動を防止することが可能になるため、レンズ鏡筒１の光学性能の低下を抑制することが可能になる。
【００７８】
本形態のように、固定筒３には、固定筒３の径方向の外側に突出する規制用突起２０が固定され、回動筒１８には、回動筒１８の径方向で回動筒１８を貫通するとともに回動筒１８の周方向を長手方向とする長溝状の規制穴２３ｂが形成され、規制穴２３ｂには、規制用突起２０の少なくとも一部が配置され、規制穴２３ｂと規制用突起２０とによって、固定筒３に対する回動筒１８の光軸方向への移動が規制されていることが好ましい。このようにすると、規制用突起２０と規制穴２３ｂとを用いた比較的簡易な構成で、固定筒３に対する回動筒１８の光軸方向への移動を規制することが可能になる。
【００７９】
本形態のように、レンズ保持枠１３は、レンズ７が固定されるレンズ固定部材３２と、レンズ固定部材３２の外周側でレンズ固定部材３２を保持するとともに固定筒３に固定される筒状の保持部材３３と、固定筒３に対するレンズ固定部材３２の、固定筒３の径方向における位置を調整するための調整用ネジ３４とを備え、保持部材３３には、調整用ネジ３４が螺合するネジ穴３３ａが形成され、ネジ穴３３ａは、保持部材３３の径方向で保持部材３３を貫通し、固定筒３には、調整用ネジ３４を回すための工具を通過させる貫通穴３ｃが形成され、貫通穴３ｃは、固定筒３の径方向で固定筒３を貫通するとともに、光軸方向において回動筒１８およびガイド筒１７とずれた位置に配置されていることが好ましい。
【００８０】
このようにすると、レンズ鏡筒１が組み立てられた状態でも、調整用ネジ３４を工具によって回すことが可能になる。したがって、レンズ鏡筒１の組立後であっても、固定筒３に対するレンズ固定部材３２の径方向の位置を比較的容易に調整することが可能になる。すなわち、レンズ鏡筒１の組立後であっても、レンズ保持枠１３に保持されるレンズ７の、固定筒３に対する径方向の位置を比較的容易に調整することが可能になる。
【００８１】
本形態のように、レンズ保持枠１１〜１４の全体が固定筒３の内周側に配置されていることが好ましい。このようにすると、レンズ保持枠１１〜１４の一部が固定筒３の外周側に配置されている場合と比較して、固定筒３の径方向でレンズ鏡筒１を小型化することが可能になる。
【００８２】
本形態のように、回動筒１８は、カム溝２３ａが形成される第１筒部材２３と、雄ヘリコイドネジ２４ａが形成される第２筒部材２４とから構成されていることが好ましい。
このようにすると、第１筒部材２３の径方向において第１筒部材２３の少なくとも一部を貫通するようにカム溝２３ａを形成すれば良いため、カム溝２３ａを容易に形成することが可能になる。また、カム溝２３ａの少なくとも一部を貫通するようにカム溝２３ａを形成したとしても、カム溝２３ａと雄ヘリコイドネジ２４ａとを重複して配置することが可能となり、回動筒１８の光軸方向の長さを短縮することが可能となる。また、回動筒１８を２部品で構成することで、個々の部品の構成を単純化することが可能となり、製造難易度を低下させることが可能となる。
【００８３】
本形態のように、レンズ保持枠１１、ガイド筒１７および回動筒１８の前端は、固定筒３の前端よりも後ろ側に配置され、レンズ保持枠１４、ガイド筒１７および回動筒１８の後端は、固定筒３よりも前側に配置されていることが好ましい。このようにすると、光軸方向でレンズ鏡筒１を小型化することが可能になる。
【００８４】
本形態のように、ガイド筒１７の全体が固定筒３の外周側に配置されていることが好ましい。ガイド筒１７の一部が固定筒３の内周側に配置されている場合には、固定筒３の内周側と外周側の両方にガイド筒１７の配置スペースを設ける必要があるため、固定筒３の径方向でレンズ鏡筒１が大型化するが、このようにすると、固定筒３の径方向でレンズ鏡筒１を小型化することが可能になる。
【００８５】
本形態のように、回動筒１８の全体が固定筒３の外周側に配置されていることが好ましい。回動筒１８の一部が固定筒３の内周側に配置されている場合には、固定筒３の内周側と外周側の両方に回動筒１８の配置スペースを設ける必要があるため、固定筒３の径方向でレンズ鏡筒１が大型化するが、このようにすると、固定筒３の径方向でレンズ鏡筒１を小型化することが可能になる。
【００８６】
（他の実施の形態）
上述した形態において、動力伝達機構２６は、回動筒１８の内周面に形成される雌ヘリコイドネジと、ガイド筒１７の外周面に形成される雄ヘリコイドネジとから構成されていても良い。また、上述した形態において、動力伝達機構２６は、回動筒１８およびガイド筒１７のいずれか一方に形成されるカム溝と、回動筒１８およびガイド筒１７のいずれか他方に形成または固定されるカムフォロアとから構成されていても良い。さらに、上述した形態において、動力伝達機構３０は、ヘリコイド機構であっても良い。また、上述した形態において、レンズ保持枠１１は、固定筒３に固定されていても良い。この場合には、動力伝達機構３０が不要になる。
【００８７】
上述した形態では、回動筒１８は、第１筒部材２３と第２筒部材２４との２個の部材によって構成されているが、回動筒１８は、１個の部材によって構成されていても良い。また、上述した形態において、連結用突起３９は、レンズ保持枠１４と一体で形成されていても良い。また、上述した形態において、連結用突起３９は、ガイド筒１７の小径部１７ａに固定されていても良いし、小径部１７ａと一体で形成されていても良い。さらに、上述した形態において、規制用突起２０は、固定筒３と一体で形成されていても良い。
【００８８】
上述した形態において、第１筒部材２３に３本のカム溝２３ａが形成されていても良い。この場合には、レンズ保持枠１１に、３個のカムフォロア２８が取り付けられており、３個のカムフォロア２８は、固定筒３の周方向において互いにずれた位置に配置されている。また、３個のカムフォロア２８は、前後方向（光軸方向）において互いにずれた位置に配置されている。また、上述した形態において、カムフォロア２８は、レンズ保持枠１１と一体で形成されていても良い。
【００８９】
上述した形態では、レンズ鏡筒３の後端側を径方向で小型化するため、第１駆動伝達機構である動力伝達機構２６が第２駆動伝達機構である動力伝達機構３０よりも後ろ側に配置されているが、仮に、レンズ鏡筒３の前端側を径方向で小径化する必要である場合には、第１駆動伝達機構が第２駆動伝達機構より前側に配置されていても良い。
【００９０】
上述した形態において、第１レンズ保持枠であるレンズ保持枠１４は、レンズ鏡筒３に配置されるレンズ保持枠の中で最も後方側に配置されているが、第１レンズ保持枠よりも後方側に別のレンズ保持枠が配置されていても良い。レンズ構成によってはフォーカスレンズとして移動するレンズが最も後端側のレンズとならない場合もあり、その場合でも、フォーカスレンズの駆動機構周りの外形の小型化をする上で本発明は効果を発揮する。
【符号の説明】
【００９１】
１  レンズ鏡筒
２  カメラ本体
３  固定筒
３ａ  ガイド穴（第２ガイド穴）
３ｂ  ガイド穴（第１ガイド穴）
３ｃ  貫通穴
５〜８  レンズ
１１  レンズ保持枠（第２レンズ保持枠）
１２、１３  レンズ保持枠（第３レンズ保持枠）
１４  レンズ保持枠（第１レンズ保持枠）
１７  ガイド筒
１７ｄ  雌ヘリコイドネジ
１８  回動筒
１９  絞り機構
２０  規制用突起
２３ａ  カム溝
２３ｂ  規制穴
２４ａ  雄ヘリコイドネジ
２６  動力伝達機構（第１動力伝達機構）
２８  カムフォロア
３０  動力伝達機構（第２動力伝達機構）
３２  レンズ固定部材
３３  保持部材
３３ａ  ネジ穴
３４  調整用ネジ
３９  連結用突起
４１  連結部
４４  地板
４５  絞り羽根
Ｚ１  前側
Ｚ２  後ろ側
【図１】
2020197673.tif 000003
【図２】
2020197673.tif 000004
【図３】
2020197673.tif 000005